(57)【要約】【課題】キッチン排水とともに生ごみを処理でき、且つ排水から生ごみを簡単に分離し得て排水を生ごみの粉砕物や生ごみ汁で汚すことがなく、また切断後の生ごみを良好に排水とともに排出し得るとともに、加えて排水浄化用の生物処理槽を必要とせず、更に流し台におけるシンク下側の空間を収納空間として有効に利用することのできる生ごみの切断処理装置を提供する。【解決手段】生ごみの切断処理装置を、キッチンシンク１４の排水口２２下側に配設した切断装置２４と、シンク１４の奥側の空間に配設した、切断後の生ごみの一時貯溜部６８と、切断装置２４からの生ごみを後方に移送する移送管７２とを含んで構成する。【選択図】        図３
2006095467.tif 000002
【特許請求の範囲】
【請求項１】
（イ）キッチンシンクの底部の排水口に内部を連通させる状態に該シンクの下側に配設された生ごみの切断装置と
（ロ）該シンクに対して該シンクの排水口よりも後方の奥側の空間に配設され、切断後の生ごみを一時的に貯溜する一時貯溜部と
（ハ）前記切断装置から後方に延び出し、該切断装置からの切断後の生ごみを該一時貯溜部に向けて移送する移送部と
を有していることを特徴とする生ごみの切断処理装置。
【請求項２】
請求項１において、前記一時貯溜部に一時的に貯溜された切断後の生ごみを該一時貯溜部から搬出するための搬出水を貯溜する貯水槽が前記シンクの奥側の空間に設けてあることを特徴とする生ごみの切断処理装置。
【請求項３】
請求項２において、前記貯水槽が前記一時貯溜部とは別に設けてあり、該貯水槽と一時貯溜部とが該貯水槽から延び出した供給管を介して連絡されていることを特徴とする生ごみの切断処理装置。
【請求項４】
請求項３において、前記一時貯溜部が封水を保持するトラップ部として構成されていることを特徴とする生ごみの切断処理装置。
【請求項５】
請求項２において、前記一時貯溜部と貯水槽とが一体に構成されていて、共通の容器の内部に前記切断後の生ごみと前記搬出水とが貯溜されるようになしてあり、且つ該容器の底部には内部の生ごみを該搬出水とともに排出する排出弁が設けてあることを特徴とする生ごみの切断処理装置。
【請求項６】
請求項５において、前記容器の内部の前記搬出水をオーバーフローさせて前記排出弁の下流部に導くオーバーフロー管が該容器の外部に設けてあり、且つ前記移送部の末端の管部が下向きに曲っていて、その下端が該容器の内部の前記搬出水に浸漬されていることを特徴とする生ごみの切断処理装置。
【請求項７】
請求項５，６の何れかにおいて、前記容器の内部且つ上部には該容器の内壁に散水して内面の洗浄を行う散水栓が設けてあることを特徴とする生ごみの切断処理装置。
【請求項８】
請求項１〜７の何れかにおいて、前記一時貯溜部に続く排水路の下流部には、切断後の生ごみを排水から分離する固液分離装置が設けてあることを特徴とする生ごみの切断処理装置。
【請求項９】
請求項８において、前記生ごみの切断処理装置は制御部を有していて、該制御部が、前記切断装置が生ごみを切断し終えた後、所定時間経過後に前記一時貯溜部内の生ごみを前記貯水槽からの搬出水によって搬出させる動作を行わせるとともに、前記固液分離装置による固液分離を行わせるものとなしてあることを特徴とする生ごみの切断処理装置。
【発明の詳細な説明】
【技術分野】
【０００１】
この発明はキッチンシンクの底部の排水口を通じて投入された生ごみを処理する生ごみの処理装置に関し、詳しくは生ごみを粉砕せずに切断して処理する装置に関する。
【背景技術】
【０００２】
従来より、キッチンで発生した生ごみを処理するための生ごみ処理装置として各種のものが提案されている。
ハンマーミル式のディスポーザと称される生ごみ処理装置はその代表的なものであって、このディスポーザはキッチンシンク（以下単にシンクとする）の下側且つキャビネット内に設けられ、投入された生ごみを給水下でハンマーによりすり潰して微粉砕し、そしてその粉砕物を排水とともに排出口から排出する。
【０００３】
例えば下記特許文献１，特許文献２，特許文献３，特許文献４にこのようなディスポーザが開示されている。
図１２，図１３はこの種ディスポーザの一例を具体的に示している（図示のものは特許文献１に開示のもの）。
図１２において２００は流し台で、２０２は流し台２００におけるキャビネット、２０４はシンク、２０６はカウンターで、このカウンター２０６上に流し台水栓２０８が配置されている。
【０００４】
シンク２０４の下側且つキャビネット２０２内には、ディスポーザ２１０がシンク２０４により吊持される状態で設けられている。
２１２はそのディスポーザ２１０における装置本体で、図１３に示しているように内部に粉砕室２１６を有している。
【０００５】
粉砕室２１６には、円筒状をなす固定刃２１８と回転盤２２０とが設けられている。
固定刃２１８には、その周壁に沿って多数の粉砕孔２２２が形成されている。また回転盤２２０の上面には、その回転軸心から偏心した位置の軸回りに自由回転状態でハンマー２２４が設けられている。
【０００６】
回転盤２２０にはモータ２２６が直結されており、回転盤２２０がモータ２２６にて回転駆動されるようになっている。
装置本体２１２には、生ごみの粉砕物を排水とともに排出するための排出口が設けられており、その排出口からの生ごみの粉砕物を排水とともに外部に排出するための排水管２２８が延び出している。
【０００７】
このディスポーザ２１０では、モータ２２６にて回転盤２２０を回転駆動すると、ハンマー２２４が粉砕室２１６内部に投入された生ごみを給水下で固定刃２１８とともに細かく押し潰し或いはすり潰して微粉砕する。
粉砕された生ごみは水とともに多数の孔から排水とともに吐出され、続いて排出口から排水管２２８内部に流入して、その排水管２２８を通じ外部に排出される。
【０００８】
しかしながらこの生ごみ処理装置としてのディスポーザ２１０の場合、生ごみを微粉砕して排水とともに排出するため、その排水から生ごみの粉砕物を分離するための固液分離のための装置が大がかりなものとなり、また必ずしも十分に生ごみの粉砕物を排水から分離できず、排水が生ごみの粉砕物で汚れてしまって、これをそのまま放流すると水質を悪化させるといった問題がある。
【０００９】
一方このような固液分離によらないで、生ごみの粉砕物を含む排水を生物処理槽（排水処理槽）で処理し、浄化するといったことも行われている。
しかしながらその生物処理槽は装置価格が高いとともに、これを地中に埋設するための工事費用がかかり、またその他に生物処理槽の設置場所を確保することが必要であるとともに、その後においても汚泥の引抜き等のメンテナンスにコストがかかるといった問題がある。
従って集合住宅のように多世帯で使用し、所要コストを各世帯で分担できるケースでは比較的普及が進んでいるが、戸建住宅等では高コストとなり、また設置場所を確保することも必ずしも容易ではないといった問題がある。
【００１０】
一方このようなディスポーザ以外の他の生ごみ処理装置の場合、多くはキッチン内部のシンクとは別の箇所に設置することが必要であって、この場合専用の特別の設置スペースを必要とする問題がある。
【００１１】
以上のような事情の下に、キッチンで生じた生ごみを微粉砕しないで切断し、処理する生ごみの処理装置が提案されている。
このように生ごみを切断して処理するようにすれば、微粉砕の際の押潰しやすり潰し等によって生じた生ごみ汁が排水に溶け込んで排水を汚してしまったりする問題を回避でき、また排水から生ごみを容易に固液分離することが可能である。
このような切断による生ごみの処理装置については、下記特許文献５，特許文献６に開示がなされている。
【００１２】
ところで上記のディスポーザ２１０では給水下で生ごみを微粉砕するため、その生ごみの粉砕物を排水と一緒に容易に流し出し、排出することができる。
これに対して生ごみを微粉砕せずに切断して処理する装置の場合、生ごみを切断したまま通常のシンク排水にて流し出し、排出することが難しく、切断後の生ごみを積極的に排水路を通じて排出させるための特別の機構を付加することが望ましい。
【００１３】
例えば特許文献６に開示のものでは、図１４（Ａ）に示しているように押し板２３０と、これを駆動するモータ２３２及びカッタ２３４とから成る切断装置の下側に切断後の生ごみを一時的に貯溜する一時貯溜部を設け、そしてその一時貯溜部に貯溜した切断後の生ごみを高圧タンク２３６からの高圧水によって強制的に下流側に搬出するようにしている。
しかしながらこの特許文献６に開示の切断処理装置の場合、切断装置の下側の空間を一時貯溜部やその一時貯溜部内の生ごみを強制的に搬出するための装置等が占めてしまい、従って切断装置をシンク底部の排水口に連続する形態でシンク下部に設けると、シンク下のキャビネット内の収納空間が大きく占有されてしまうといった問題を生ずる。
【００１４】
近年、流し台のキャビネットは収納空間を効率的に利用できるように引出し収納方式が広く採用されているが、特許文献６に開示の装置を流し台のシンクに取り付けた場合、流し台のキャビネットの収納用引出しがこれに当ってしまうといった問題を生ずる。
即ちこのような引出し収納方式の流し台に対して特許文献６に開示の装置を適用することができない。
【００１５】
このため特許文献６に開示のものでは、図１４（Ｂ）に示しているように装置ケーシング２３８を含む生ごみの切断処理装置全体を流し台２００とは別にその隣の位置に隣接して設置するようにしている。
しかしながらこの場合、流し台２００以外に生ごみ処理装置のための占有のスペースが必要となり、更にまた流し台２００で炊事作業しながらシンク底部の排水口を通じて生ごみを投入するといった利便性が失われてしまう問題を生ずる。
【００１６】
【特許文献１】特開２００２−４５７２２号公報
【特許文献２】特開２００２−２４８３６８号公報
【特許文献３】特開２００３−２１１０１６号公報
【特許文献４】特開２００３−３０５３７９号公報
【特許文献５】特開２００２−２１９３７５号公報
【特許文献６】特公平５−１５６０３号公報
【発明の開示】
【発明が解決しようとする課題】
【００１７】
本発明は以上のような事情を背景とし、キッチン排水とともに生ごみを処理でき、且つ排水から生ごみを簡単に分離し得て排水を生ごみの粉砕物や粉砕時に生じた生ごみ汁で汚すことがなく、また切断後の生ごみを良好に排水とともに排出し得るとともに、加えて排水を浄化処理するための生物処理槽の設置を必要とせず、従ってその設置に要するコストやメンテナンス費用を削減できるとともに、流し台におけるシンク下側の空間を収納空間として有効に利用することのできる生ごみの切断処理装置を提供することを目的としてなされたものである。
【課題を解決するための手段】
【００１８】
而して請求項１の生ごみの切断処理装置は、（イ）キッチンシンクの底部の排水口に内部を連通させる状態に該シンクの下側に配設された生ごみの切断装置と、（ロ）該シンクに対して該シンクの排水口よりも後方の奥側の空間に配設され、切断後の生ごみを一時的に貯溜する一時貯溜部と、（ハ）前記切断装置から後方に延び出し、該切断装置からの切断後の生ごみを該一時貯溜部に向けて移送する移送部とを有していることを特徴とする。
【００１９】
請求項２のものは、請求項１において、前記一時貯溜部に一時的に貯溜された切断後の生ごみを該一時貯溜部から搬出するための搬出水を貯溜する貯水槽が前記シンクの奥側の空間に設けてあることを特徴とする。
【００２０】
請求項３のものは、請求項２において、前記貯水槽が前記一時貯溜部とは別に設けてあり、該貯水槽と一時貯溜部とが該貯水槽から延び出した供給管を介して連絡されていることを特徴とする。
【００２１】
請求項４のものは、請求項３において、前記一時貯溜部が封水を保持するトラップ部として構成されていることを特徴とする。
【００２２】
請求項５のものは、請求項２において、前記一時貯溜部と貯水槽とが一体に構成されていて、共通の容器の内部に前記切断後の生ごみと前記搬出水とが貯溜されるようになしてあり、且つ該容器の底部には内部の生ごみを該搬出水とともに排出する排出弁が設けてあることを特徴とする。
【００２３】
請求項６のものは、請求項５において、前記容器の内部の前記搬出水をオーバーフローさせて前記排出弁の下流部に導くオーバーフロー管が該容器の外部に設けてあり、且つ前記移送部の末端の管部が下向きに曲っていて、その下端が該容器の内部の前記搬出水に浸漬されていることを特徴とする。
【００２４】
請求項７のものは、請求項５，６の何れかにおいて、前記容器の内部且つ上部には該容器の内壁に散水して内面の洗浄を行う散水栓が設けてあることを特徴とする。
【００２５】
請求項８のものは、請求項１〜７の何れかにおいて、前記一時貯溜部に続く排水路の下流部には、切断後の生ごみを排水から分離する固液分離装置が設けてあることを特徴とする。
【００２６】
請求項９のものは、請求項８において、前記生ごみの切断処理装置は制御部を有していて、該制御部が、前記切断装置が生ごみを切断し終えた後、所定時間経過後に前記一時貯溜部内の生ごみを前記貯水槽からの搬出水によって搬出させる動作を行わせるとともに、前記固液分離装置による固液分離を行わせるものとなしてあることを特徴とする。
【発明の作用・効果】
【００２７】
以上のように本発明は、生ごみを切断して処理する装置において、その切断装置とは別に、切断装置にて切断された後の生ごみを一時的に貯溜する一時貯溜部と、切断された生ごみを切断装置から一時貯溜部へと移送する移送部とを設けており、かかる本発明の装置においては、その一時貯溜部に搬出水を供給することで、一時貯溜部内の切断後の生ごみを良好に一時貯溜部から搬出し、排水路を通じて排出することができる。
【００２８】
また本発明の生ごみの処理装置は、生ごみを切断して処理するものであるため、排水から生ごみを容易に固液分離することができ、排水の水質を良好に保つことができる。
【００２９】
また本発明の装置によれば、従来のディスポーザを用いた生ごみ処理装置のように排水の浄化のための生物処理槽を特に必要とせず、従ってその設置のためのコスト、更にはその後のメンテナンスのためのコストを削減することができるとともに、設置場所の確保も特に必要としない。
【００３０】
その他に、本発明の装置では生ごみの切断装置をシンクの下側に、且つその内部をシンク底部の排水口に連通させる状態で設けていることから、流し台でシンクを用いて炊事等の作業をしながら、シンク底部の排水口を通じて生ごみをそのまま下側の切断装置にシンク排水とともに落とすことができ、キッチン作業の作業性が良好である。
またシンクの下側に生ごみの切断装置を設けているにもかかわらず、切断後の生ごみを一時的に貯溜する一時貯溜部をシンクに対して奥側の空間、具体的にはシンク底部の排水口よりも後方の奥側の空間に配設しているため、従来デッドスペースとなっていて特に活用されていなかったシンクの奥側の空間を有効に活用でき、またこれと併せてシンク下の収納空間を広く確保することが可能となる。
【００３１】
請求項２は、上記の一時貯溜部に一時的に貯溜された切断後の生ごみを、その一時貯溜部から搬出するための搬出水を貯溜する貯水槽を上記のシンクの奥側の空間に設けたもので、この請求項２によれば、その貯水槽からの搬出水によって一時貯溜部内の切断後の生ごみをその一時貯溜部から一挙に搬出することができる。
またこの請求項２では、その貯水槽をシンクの奥側の空間に設けているため、従来デッドスペースとなっていたシンクの奥側の空間を貯水槽の設置のための空間として有効に活用でき、またこのような貯水槽を設けることによって、貯水槽がシンク底部の排水口の下側の空間を占め、シンクの下側の収納空間が貯水槽によって狭められてしまうといった不都合を回避することができる。
【００３２】
このように貯水槽を設ける場合において、その貯水槽を一時貯溜部とは別に設けた上、その貯水槽と一時貯溜部とを貯水槽から延び出した供給管を介して連絡しておくことができる（請求項３）。
この場合において上記一時貯溜部は、封水を保持するトラップ部として構成しておくことができる（請求項４）。
【００３３】
一方請求項５は、一時貯溜部と貯水槽とを一体に構成して共通の容器の内部に切断後の生ごみと搬出水とを貯溜するようになし、そしてその容器の底部には内部の生ごみを搬出水とともに排出するための排出弁を設けたもので、この場合においても一時貯溜部に一時的に貯溜した生ごみを所定量の搬出水による搬出作用で良好に排出することができる。
この請求項５によれば、トラップ部をなす一時貯溜部から切断後の生ごみを搬出水により強制搬出する場合に比べて、少量の水で生ごみの搬出を行うことができる。
またこの請求項５の装置では、一時貯溜部と貯水槽とが一体に構成してあるため、一時貯溜部とは別に貯水槽を設ける場合に比べて構造が簡単化する利点も得られる。
【００３４】
この場合において共通の容器の内部の搬出水をオーバーフローさせて排出弁の下流部に導くオーバーフロー管を容器の外部に設けておき、また移送部の末端の管部を下向きに曲げて、その下端を容器の内部の搬出水に浸漬させておくことができる（請求項６）。
このようにすれば、シンク底部の排水口からのシンク排水をその容器の内部に溜めて、これを容器内部の生ごみの搬出用としてそのまま用いることができるとともに、その容器の内部の水を臭気の逆流防止のための封水として利用することができる。
またシンク排水によって搬出水の水位が一定水位を超えると、オーバーフロー管によって自動的に下流側へと流されるため、自動的に容器内部に一定量の搬出水を貯溜した状態としておくことができる。
【００３５】
請求項７は、上記の共通の容器の内部且つ上部に容器の内壁に散水して内面の洗浄を行う散水栓を設けたもので、このようにしておけば、切断後の生ごみ及び搬出水を排出した後に、容器の内壁や底部等に生ごみが付着していた場合であっても、これを散水栓からの散水により良好に洗い流して内面を清浄に保つことができる。
またこの請求項７によれば、容器内の生ごみを搬出水とともに排出した後において、引続きその散水栓から水を散水することで、容器内に封水及び次の生ごみを搬出するに必要な搬出水を補給しておくことができる。
【００３６】
次に請求項８は、一時貯溜部に続く排水路の下流部に切断後の生ごみを排水から分離する固液分離装置を設けたものである。ここで固液分離装置は屋外に設けておくことが望ましい。
本発明において、切断後の生ごみは一定の大きさを有するものであり、従って容易に固液分離装置を用いて排水から分離することができ、且つこれにより排水の水質を良好に保持することができる。
【００３７】
次に請求項９は、生ごみの切断処理装置に、上記切断装置が生ごみを切断し終えた後、所定時間経過後に一時貯溜部内の生ごみを貯水槽からの搬出水によって搬出させる動作を行なわせ、また固液分離装置による固液分離動作を行わせる制御部を設けたもので、このような制御部を設けておくことで、生ごみの切断以降の各処理を自動的に行うことが可能となり、そしてこれにより一時貯溜部に切断後の生ごみが長く滞溜してしまったり、或いはまた固液分離装置のところで排水中に生ごみが長く滞溜してしまうといったことを防止することができる。
【００３８】
尚本発明において、生ごみの切断は、大きさ５〜３０ｍｍ程度の大きさに粗切りすることが望ましい。
【発明を実施するための最良の形態】
【００３９】
次に本発明の実施形態を図面に基づいて詳しく説明する。
図１〜図３において、１０はキッチンに設置された流し台で、１２は流し台１０におけるキャビネット、１４はシンク（キッチンシンク）、１６はカウンターで、１８はそのカウンター１６上に設けられた流し台水栓である。
また２０はキャビネット１２における収納用引出しである。
【００４０】
２２はシンク１４の底部の排水口で、２４はこの排水口２２を投入口として内部に生ごみを投入させ、粗切状態に切断する生ごみの切断装置で、シンク１４の底部に吊持される状態で取り付けられている。
２６はこの排水口２２即ち生ごみの投入口を閉鎖する蓋で、切断装置２４はこの蓋２６を装着した状態の下で生ごみを切断する。尚、蓋２６は流し台水栓１８からの水を通過可能とされている。
２８は蓋２６を閉状態にロックするロック装置で、排水口２２にセットされた蓋２６はこのロック装置２８により閉状態にロックされる。
【００４１】
図３に示しているように切断装置２４は、外容器３０と内容器３２とを有しており、その内容器３２の内部に、生ごみを粗切状態に切断するための切断機構３４が設けられている。
また内容器３２の下側には、その切断機構３４を駆動するモータ３６が配設されており、このモータ３６から回転軸３８が上向きに延び出しており、内容器３２内部においてこの回転軸３８が切断機構３４に作動的に連結されている。
【００４２】
切断機構３４は、図４に示しているように生ごみを横切りする切断刃４０を上下に２セット有している。
各切断刃４０は、回転刃４２と固定刃４４とを有している。
これら回転刃４２と固定刃４４とは、それぞれ中心部から放射状に延びる刃部４６，４８を有しており、回転刃４２の回転に基づいて投入された生ごみを、回転刃４２の刃部４６と固定刃４４の刃部４８とで横方向に切断する。
【００４３】
ここで回転刃４２の中心部には多角形状の係合孔５０が設けられており、そこに回転軸３８の上部に形成された対応する多角形状の係合軸部５２が一体回転状態に係合させられている。
各回転刃４２は、これら係合軸部５２と係合孔５０との係合に基づいてモータ３６により強制回転させられる。
尚、回転刃４２における刃部４６の下面側には、刃部４６及び４８にて切断した生ごみを掻き落とすためのスクレーパ５４が設けられている。
【００４４】
一方内容器３２の底部５５には、円形の排出穴５６及び周方向に長穴形状をなす排出穴５８が設けられており、切断された生ごみを、これら排出穴５６，５８を通じて外部に排出するようになっている。
ここで排出穴５６，５８の大きさは５〜３０ｍｍに粗切りされた生ごみを通過可能な大きさとされている。
【００４５】
この底部５５には、生ごみを縦方向に切断するための縦刃６０が設けられており、また下段側の切断刃４０の回転刃４２には、対応する縦刃６２が設けられている。
尚、下段側の切断刃４０の回転刃４２のスクレーパ５４には、縦刃６０を通過するための切欠き６４が設けられている。
【００４６】
図１〜図３において、６６は切断後の生ごみを排水とともに排出する排水管（排水路）で、その上部が切断後の生ごみを一時的に貯溜する一時貯溜部６８として構成されている。
ここで一時貯溜部６８は全体としてＳ字状をなしており、内部に切断後の生ごみとともに封水を保持して、臭気の逆流を防止するトラップ部を成している。
またこの一時貯溜部６８の上端部は、図中上向きに拡がり形状のラッパ形状をなす受部７０とされている。
ここで一時貯溜部６８は、キャビネット１２内部においてシンク１４の底部の排水口２２よりも後方側の奥部、具体的にはここではシンク１４の後端よりも更に奥側の空間に配設されている。
【００４７】
上記切断装置２４からは移送管（移送部）７２が後方に延び出している。
この移送管７２の端部は下向きに曲っていて、その末端が上記一時貯溜部６８、具体的には受部７０の上端に接続されている。
キャビネット１２内部且つシンク１４の後方の空間にはまた、一時貯溜部６８内に一時的に貯溜された切断後の生ごみを一挙に一時貯溜部６８から搬出するための搬出水を貯える貯水槽７３が設けられ、そこに流し台水栓１８に対して水を供給する供給管（図示せず）からの水が流入し且つそこに貯えられるようになっている。
この貯水槽７３の底部には、図３に示しているように排出弁７４が設けられていて、この排出弁７４を介して貯水槽７３から供給管７６が下向きに延び出し、その先端が一時貯溜部６８に接続されている。
【００４８】
図１及び図５において、７８は屋外に設置された固液分離装置で、図５に示すようにケーシング８０の内部に固液分離機８２と、分離された生ごみを乾燥する乾燥機８４、更に切断され且つ乾燥された生ごみを受けて貯溜する容器８６が収容されている。
固液分離機８２は水槽８８と、下端をその水槽８８に浸漬させる状態で設けられたエンドレスのコンベヤベルト９０と、そのコンベヤベルト９０に所定間隔で設けられたバースクリーン９２とを有している。
【００４９】
この固液分離機８２は、バースクリーン９２で水槽８８中の切断後の生ごみをすくい取って持ち上げ、そのコンベヤベルト９０の上端から受部９４へと落下させる。
乾燥機８４はヒータ９６と、ファン９８と、撹拌羽根１００とを有しており、受部９４上の切断後の生ごみを撹拌及び熱風の吹付けにより乾燥させる。
乾燥後の生ごみは受部９４の下向きの回動により下方の容器８６へと落とされる。
尚容器８６にごみ袋をセットしておけば、落とされた生ごみをごみ袋内部に収容してその後ごみ袋ごと処理することができる。
【００５０】
図１及び図６において、１０２は装置の制御部で、この制御部１０２に対し上記のロック装置２８，排出弁７４，モータ３６，固液分離装置７８が電気的に接続されている。
【００５１】
次に本実施形態の生ごみの切断処理装置の作用を以下に説明する。
本実施形態の装置では、蓋２６を開いて排水口２２から生ごみを切断装置２４内部に投入する。またこれと併せて流し台水栓１８から所定量の水を給水しておく。
その状態で蓋２６を閉じ、切断装置２４を作動させる。
具体的にはモータ３６を起動して内容器３２内の生ごみを切断機構３４によって切断する。
【００５２】
切断された後の生ごみは移送管７２を通じて一時貯溜部６８に一時的に貯溜される。
その後排出弁７４を開いて、貯水槽７３に貯えられている搬出水を下向きに勢い良く落下させると、一時貯溜部６８に貯溜されている生ごみが、その貯水槽７３から勢い良く落下する搬出水によって一時貯溜部６８から一掃され、排水管６６を通じて外部に排出される。
排出された生ごみは、その後固液分離装置７８にて固液分離される。
【００５３】
本実施形態においては切断装置２４における切断開始後の一連の処理が制御部１０２の制御の下に自動的に行われる。
図７はその自動処理のための制御部１０２における制御の内容を表している。
同図に示しているように、ここでは蓋２６を開いて生ごみを投入するとともに、流し台水栓１８を少し開いて給水を行いつつ、蓋２６を閉じて切断開始スイッチ１０４（図５参照）を操作すると、切断装置２４が作動して生ごみの切断を開始する（ステップＳ１０，Ｓ１２，Ｓ１４、Ｓ１６）。
尚ステップＳ１４では、同時にロック装置２８により蓋２６が閉状態にロックされる。
【００５４】
切断装置２４で切断された生ごみはシンク排水によって一時貯溜部６８に移送される。
生ごみの切断開始後においては、切断刃４０はｔ秒ごとに交互に逆転運動し、生ごみを切断して行く。
そしてその動作が所定時間経過したところで切断装置２４が停止する。（ステップＳ１８，Ｓ２０，Ｓ２２）。
尚、切断後の生ごみは次々と一時貯溜部６８に送られてそこに貯溜される。
【００５５】
その後貯水槽７３の排出弁７４が開かれて、そこから搬出水が一挙に落下させられ、一時貯溜部６８内の切断後の生ごみをそこから一掃し、排水管６６へと洗い流す（ステップＳ２４）。
そして一時貯溜部６８の生ごみの搬出を完了した後に、戸外の固液分離装置７８が作動開始させられて固液分離動作を行う。
そして固液分離動作を終了したところで、その固液分離装置７８が停止させられる（ステップＳ２６，Ｓ２８，Ｓ３０）。
【００５６】
以上のような本実施形態の生ごみの切断処理装置によれば、切断装置２４にて粗切状態に切断された生ごみを一時的に貯溜する一時貯溜部６８に対して、貯水槽７３から一挙に多量の搬出水を勢い良く供給することで、一時貯溜部６８内の切断後の生ごみを良好に排水管６６を通じて排出することができる。
【００５７】
また本実施形態によれば、生ごみを切断して処理するものであって、その切断後の生ごみは一定の大きさを有するものであり、従って容易に固液分離装置７８を用いて排水から分離することができ、且つこれにより排水の水質を良好に保持することができる。
【００５８】
また本実施形態によれば、従来のディスポーザを用いた生ごみ処理装置のように排水の浄化のための生物処理槽を特に必要とせず、従ってその設置のためのコスト、更にはその後のメンテナンスのためのコストを削減することができるとともに、設置場所の確保も特に必要としない。
【００５９】
更に本実施形態では、生ごみの切断装置２４をシンク１４の下側に、且つその内部をシンク１４の底部の排水口２２に連通させる状態で設けていることから、流し台１０でシンク１４を用いて炊事等の作業をしながら、シンク１４の底部の排水口２２を通じて生ごみをそのままその下側の切断装置２４にシンク排水とともに落とすことができ、キッチン作業の作業性が良好である。
【００６０】
またシンク１４の下側に生ごみの切断装置２４を設けているにもかかわらず、切断後の生ごみを一時的に貯溜する一時貯溜部６８をシンク１４に対して奥側の空間、具体的にはシンク１４の底部の排水口２２よりも後方の奥側の空間に配設しているため、従来デッドスペースとなっていて特に活用されていなかったシンク１４の奥側の空間を有効に活用でき、またこれと併せてシンク１４の下側の収納空間を広く確保することができる。
【００６１】
また搬出水を貯溜する貯水槽７３もまた、上記のシンク１４の奥側の空間に設けてあるので、デッドスペースとなっていたシンク１４の奥側の空間を貯水槽７３の設置のための空間として有効に活用でき、シンク１４の下側の収納空間が貯水槽７３によって狭められてしまうといったことがない。
【００６２】
またこの実施形態では一時貯溜部６８がシンク１４の奥側に設けられていて、切断装置２４からの切断後の生ごみが移送管７２にてシンク１４の後方に移送されるため、切断装置２４の下側に、一時貯溜部６８と干渉を生ぜしめることなくモータ３６の配設空間を容易に確保することができる。
【００６３】
また本実施形態では、切断装置２４が生ごみの切断を終えた後、所定時間経過後に一時貯溜部６８内の生ごみを貯水槽７３からの搬出水によって搬出させる動作を行なわせ、また固液分離装置７８による固液分離動作を行わせる制御部１０２を設けてあるので、生ごみの切断開始以降の各処理を自動的に行うことができ、一時貯溜部６８に生ごみが長く滞溜してしまったり、或いはまた固液分離装置７８のところで排水中に生ごみが長く滞溜してしまうといったことを防止できる。
【００６４】
図８及び図９は本発明の他の実施形態を示している。
この例は貯水槽を兼用して生ごみの一時貯溜部１０６を一体に構成したもので、共通の容器１０８内部に切断後の生ごみを収容するとともに、併せてこれを搬出するための所定量の搬出水を収容するようになっている。
その容器１０８の底部の排出口１０９には排出弁１１０が開閉可能に設けられており、またその容器１０８の上部からは内部の搬出水をオーバーフローさせるためのオーバーフロー管１１２が延び出していて、その下端が排出弁１１０の下流側において排水管６６に接続されている。
また上記切断装置２４から後方に延び出した移送管７２の下向きに折れ曲った末端の管部７２Ａが搬出水に浸漬されている。
【００６５】
この実施形態では、容器１０８内部の搬出水が封水となって、排水管６６からの臭気がキッチン室内に逆流するのを防止する。即ちこの実施形態においても一時貯溜部１０６自体が移送管７２の末端の管部７２Ａとともに、封水を保持して臭気の逆流を防止するトラップ部をなしている。
尚この実施形態においても、貯水槽を兼用した一時貯溜部１０６がシンク１４の後端よりも奥側の空間に配設されている。
この実施形態ではまた、容器１０８の内壁及び底部に付着した生ごみを洗い流すための散水栓１１４が、容器１０８内部且つその上部に設けられている。
【００６６】
図１０は図８及び図９に示す実施形態の作用を説明する図である。
図１０（Ｉ）に示しているように、切断装置２４で切断された生ごみは移送管７２を経て、先ずこの一時貯溜部１０６内に貯溜される。また併せてこの一時貯溜部１０６内には、収容された生ごみを搬出するのに必要な所定量の搬出水が収容される。
このような状態で排出弁１１０を開くと、内部の生ごみが搬出水とともに排出される。
【００６７】
この生ごみ及び搬出水の排出後において、容器１０８の内壁や底部に生ごみの一部が付着したままとなる恐れがある。
そこでこの実施形態では、次に散水栓１１４から水を散水して内壁や底部に付着している生ごみを水で洗い落とし、排出口１０９から図中下向きに排出する（図１０（II），（III）参照）。
この散水栓１１４からの散水によって、容器１０８内面は清浄な状態となり、その後排出弁１１０を閉じると引続く散水栓１１４からの散水により、容器１０８内部に所定量の搬出水が貯溜される。図１０（IV）はこのときの状態を表している。
【００６８】
本実施形態においても、一時貯溜部１０６に一時的に貯溜した生ごみを所定量の搬出水によって良好に搬出することができる。
この実施形態では、第１の実施形態のように一時貯溜部６８内に貯溜した生ごみを、排水トラップ部を上昇させた上で搬出する必要が無いため、少量の搬出水で生ごみを搬出できる利点が得られる。
【００６９】
また一時貯溜部１０８と貯水槽とが一体に構成してあるため、第１の実施形態のように一時貯溜部６８とは別に貯水槽７３を設ける場合に比べて構造を簡単化できる。
【００７０】
更に本実施形態では、容器１０８にオーバーフロー管１１２を設け、また移送管７２の末端の管部７２Ａを下向きに曲げてその下端を容器１０８内部の搬出水に浸漬させてあるため、シンク１４の底部の排水口２２からのシンク排水をその容器１０８の内部に溜めて、これを生ごみの搬出用としてそのまま用いることができるとともに、その搬出水を臭気の逆流防止のための封水として用いることができる。
またシンク排水によって搬出水が一定水位を超えるとオーバーフロー管１１２によって自動的に下流側へと流されるため、自動的に容器１０８内部に一定量の搬出水を貯溜した状態としておくことができる。
【００７１】
更に本実施形態では、容器１０８の上部に散水栓１１４を設けてあるので、生ごみ及び搬出水を排出した後に容器１０８の内壁や底部等の内面に生ごみが付着していた場合であっても、これを散水栓１１４からの散水により良好に洗い流して内面を清浄に保つことができる。
また容器１０８内の生ごみを搬出水にて搬出した後において、引続きその散水栓１１４から散水を行うことで、容器１０８内に次の生ごみを搬出するに必要な搬出水（封水）を補給しておくことができる。
【００７２】
以上本発明の実施形態を詳述したがこれらはあくまで一例示である。
例えば上記実施形態では貯水槽７３内に搬出水を貯えておいて、その搬出水にて切断後の生ごみを一時貯溜部６８から搬出するようになしているが、図１１に示しているようにジェット噴射装置１１６の先端の噴射ノズル１１８から搬出水をジェット噴射し、一時貯溜部６８の生ごみを搬出するようになすこともできるなど、本発明はその趣旨を逸脱しない範囲において種々変更を加えた形態で構成可能である。
【図面の簡単な説明】
【００７３】
【図１】本発明の一実施形態の生ごみの切断処理装置を周辺部とともに一部切り欠いて示す斜視図である。
【図２】同実施形態の生ごみの切断処理装置を流し台とともに示す斜視図である。
【図３】同実施形態の生ごみの切断処理装置の要部を流し台の断面構成とともに示す図である。
【図４】図３の切断装置の切断刃を示す斜視図である。
【図５】同実施形態における固液分離装置を示す図である。
【図６】同実施形態の各要素の電気的な接続関係を示す図である。
【図７】図６の制御部における制御の内容を表したフローチャートである。
【図８】本発明の他の実施形態を示す図である。
【図９】図８の実施形態の斜視図である。
【図１０】図８及び図９に示す実施形態の作用説明図である。
【図１１】本発明の更に他の実施形態の要部を示す図である。
【図１２】従来の生ごみ処理装置の一例としてのディスポーザを流し台とともに示す図である。
【図１３】図１２のディスポーザを一部切り欠いて示す図である。
【図１４】図１２及び図１３とは異なる従来の生ごみ処理装置の一例を示す図である。
【符号の説明】
【００７４】
１４  シンク（キッチンシンク）
２２  排水口
２４  切断装置
６６  排水管（排水路）
６８，１０６  一時貯溜部
７２  移送管（移送部）
７２Ａ  管部
７３  貯水槽
７６  供給管
７８  固液分離装置
１０２  制御部
１０８  容器
１１０  排出弁
１１２  オーバーフロー管
１１４  散水栓
【図１】
2006095467.tif 000003
【図２】
2006095467.tif 000004
【図３】
2006095467.tif 000005
【図４】
2006095467.tif 000006
【図５】
2006095467.tif 000007
【図６】
2006095467.tif 000008
【図７】
2006095467.tif 000009
【図８】
2006095467.tif 000010
【図９】
2006095467.tif 000011
【図１０】
2006095467.tif 000012
【図１１】
2006095467.tif 000013
【図１２】
2006095467.tif 000014
【図１３】
2006095467.tif 000015
【図１４】
2006095467.tif 000016